(57)【要約】【課題】壁体に取り付けるケーブルグランドにおいて、ねじ要素が壁体の表側に露出しない構造で、かつ壁体の表側への突出量を少なくすることが可能な構造を提供する。【解決手段】壁体100の取付孔101にグランド本体2の円筒部22を壁体表側から差し込んだ状態で、その壁体裏側に突出する円筒部22にロックナット6をねじ込むことによりグランド本体2を壁体100に取り付けた後、グランド本体2の挿通孔23にスリーブ3を嵌め込んだ状態で、挿通孔23の雌ねじ23aにプラグ4を壁体裏側からねじ込む構造としているので、ケーブルグランド1のねじ要素であるプラグ4を壁体の裏側に配置することができる。これによりプラグ4を緩めるという、いたずらを防止することができる。さらに、壁体100の表側への突出量を少なくすることができる。【選択図】図１
2018007340.tif 000002
【特許請求の範囲】
【請求項１】
壁体に取り付けられるケーブルグランドにおいて、
ケーブルを通す挿通孔を有する筒状の部材であって円形外周を有する鍔部と円筒部とを備え、前記円筒部の一端に前記鍔部が一体形成されているとともに、前記円筒部の外周面に雄ねじが形成され、前記挿通孔の内周面に前記円筒部の他端から前記鍔部側に進む雌ねじが形成されたグランド本体と、
前記ケーブルを通す挿通孔を有し、前記グランド本体の挿通孔に前記円筒部の他端側から嵌め込まれるスリーブと、
ケーブルの挿通が可能な筒状の部材であって前記グランド本体の挿通孔の雌ねじに噛み合う雄ねじが形成されたプラグと、
前記円筒部の雄ねじに噛み合う雌ねじが形成されたロックナットと、を備え、
前記グランド本体の円筒部を前記壁体に形成された取付孔に壁体の表側から差し込み、前記鍔部を当該壁体の表側に配置した状態で、その壁体の裏側に突出する円筒部に前記ロックナットをねじ込むことにより前記グランド本体を前記壁体に取り付け、
前記グランド本体の挿通孔に前記スリーブを前記円筒部の他端側から嵌め込んだ状態で、前記挿通孔の雌ねじに前記プラグを前記壁体の裏側からねじ込む構成とされており、
前記グランド本体の円筒部に回止め溝が形成されているとともに、
前記グランド本体の円筒部に嵌め込まれ、前記ロックナットと前記壁体との間に配置されるワッシャを備え、
前記ワッシャには、前記グランド本体を前記壁体に取り付けた状態で、前記円筒部の回止め溝に嵌り込む第１舌片と、前記壁体の取付孔の周縁に形成された切欠きに嵌り込む第２舌片とが形成されていることを特徴とするケーブルグランド。
【発明の詳細な説明】
【技術分野】
【０００１】
本発明は、ケーブルを保持するケーブルグランドに関する。
【背景技術】
【０００２】
電気機器にケーブルを接続する際、電気機器の筐体等に取り付けたケーブルグランドを介してケーブルを保持する技術が公知である（例えば、特許文献１参照）。
【０００３】
ケーブルグランドとしては、例えば、ケーブルの挿通が可能な筒状の部材であって鍔部及びその鍔部を挟んだ両側に雄ねじが形成された筒状のグランド本体、このグランド本体に嵌め込まれるゴム製のスリーブ、グランド本体の一方側（スリーブが嵌め込まれる側）の雄ねじにねじ込まれるキャップ（袋ナット）、及びグランド本体を壁体に固定するロックナットなどを備えたものがある。
【０００４】
このようなケーブルグランドでは、グランド本体の他方側の雄ねじを、電気機器の筐体等の壁体に形成された取付孔に壁体の表側から差し込んだ状態で、その他方側の雄ねじにロックナットを壁体の裏側からねじ込むことによってグランド本体を壁体に取り付ける。その後に、スリーブ及びキャップにケーブルを挿通した状態で当該スリーブをグランド本体に嵌め込み、グランド本体の一方側の雄ねじ（壁体の表側に突出している雄ねじ）にキャップを壁体の表側からねじ込んでスリーブを締め付ける。このようにしてキャップにてスリーブを締め付けることにより、スリーブが縮径方向に変形し、スリーブの挿通孔の内周面とケーブルの外周面とが密着する。これによって、電気機器の筐体内に水、油、塵、埃などが侵入するのを防止することができるとともに、ケーブル自体をしっかりと保持・固定することができる。
【０００５】
なお、上記ケーブルグランドにおいて、グランド本体の鍔部は例えば略六角形状に形成されており、スパナ等の工具を掛けることができる。
【先行技術文献】
【特許文献】
【０００６】
【特許文献１】特開２００７−３７３６４号公報
【発明の概要】
【発明が解決しようとする課題】
【０００７】
ところで、上記ケーブルグランドでは、スリーブをグランド本体に締め付けるキャップが壁体の表側（外側）に露出する構造となっている。このため、いたずらによりキャップが緩められるおそれがある。また、グランド本体の一部及びキャップが壁体から表側に突出しているので、その突出部分に足を掛けて体重を掛けられた場合、ケーブルグランドが破損するおそれがある。
【０００８】
本発明はそのような実情を考慮してなされたもので、壁体に取り付けられるケーブルグランドにおいて、ねじ要素が壁体の表側に露出しない構造で、かつ壁体の表側への突出量を少なくすることが可能な構造を提供することを目的とする。
【課題を解決するための手段】
【０００９】
本発明は、壁体に取り付けられるケーブルグランドにおいて、ケーブルを通す挿通孔を有する筒状の部材であって円形外周を有する鍔部と円筒部とを備え、前記円筒部の一端に前記鍔部が一体形成されているとともに、前記円筒部の外周面に雄ねじが形成され、前記挿通孔の内周面に前記円筒部の他端から前記鍔部側に進む雌ねじが形成されたグランド本体と、前記ケーブルを通す挿通孔を有し、前記グランド本体の挿通孔に前記円筒部の他端側から嵌め込まれるスリーブと、ケーブルの挿通が可能な筒状の部材であって前記グランド本体の挿通孔の雌ねじに噛み合う雄ねじが形成されたプラグと、前記円筒部の雄ねじに噛み合う雌ねじが形成されたロックナットとを備えている。
【００１０】
そして、前記グランド本体の円筒部を前記壁体に形成された取付孔に壁体の表側から差し込み、前記鍔部を当該壁体の表側に配置した状態で、その壁体の裏側に突出する円筒部に前記ロックナットをねじ込むことにより前記グランド本体を前記壁体に取り付け、前記グランド本体の挿通孔に前記スリーブを前記円筒部の他端側から嵌め込んだ状態で、前記挿通孔の雌ねじに前記プラグを前記壁体の裏側からねじ込む構成とされている。さらに、前記グランド本体の円筒部に回止め溝が形成されているとともに、前記グランド本体の円筒部に嵌め込まれ、前記ロックナットと前記壁体との間に配置されるワッシャを備え、前記ワッシャには、前記グランド本体を前記壁体に取り付けた状態で、前記円筒部の回止め溝に嵌り込む第１舌片と、前記壁体の取付孔の周縁に形成された切欠きに嵌り込む第２舌片とが形成されていることを特徴としている。
【００１１】
本発明のケーブルグランドによれば、壁体の取付孔にグランド本体の円筒部を壁体の表側から差し込んだ状態で、その壁体の裏側に突出する円筒部にロックナットをねじ込むことによりグランド本体を壁体に取り付けた後、グランド本体の挿通孔にスリーブを嵌め込んだ状態で、挿通孔の雌ねじにプラグを壁体の裏側からねじ込む構造としている。
【００１２】
このような構造により、ケーブルグランドのねじ要素であるロックナット及びプラグを壁体の裏側に配置することができ、壁体の表側に露出する部材は、回転操作を行い難い円形外周を有する鍔部（パッキンも含む）のみとすることができる。これにより、スリーブを締め付けるプラグやグランド本体を緩めるという、いたずらを防止することができる。さらに、壁体の表側に露出する円形外周の鍔部は、壁体外側への突出量を少なくすることが可能であるので、鍔部に足を掛け難い構造とすることができる。
【００１３】
ここで、本発明のケーブルグランドにあっては、グランド本体が円形外周を有する鍔部と円筒部とによって構成されているので、スパナ等の工具によってグランド本体の回転を固定しにくい。このため、グランド本体をロックナットにて壁体に取り付けた後、プラグのねじ込みによってスリーブを締め付ける際にグランド本体が回転する可能性がある。
【００１４】
このような点を解消するため、本発明のケーブルグランドでは、グランド本体の円筒部に嵌め込まれ、壁体とロックナットとの間に配置されるワッシャを設け、そのワッシャに第１舌片と第２舌片とを設けている。そして、グランド本体を壁体に取り付けた状態で、ワッシャの第１舌片がグランド本体の回止め溝に嵌り込むとともに、ワッシャの第２舌片が壁体の切欠きに嵌り込む構造を採用している。このような構造により、グランド本体が回転しようとしても、第１舌片がグランド本体の回止め溝に係止し、第２舌片が壁体の切欠きに係止することにより、グランド本体の回転が規制される。これにより、グランド本体を壁体に取り付けた後、グランド本体の円筒部にプラグをねじ込む際（スリーブを締め付ける際）に、グランド本体が回転することはない。
【発明の効果】
【００１５】
本発明のケーブルグランドによれば、ねじ要素が壁体の表側に露出しない構造であるので、グランド本体やスリーブを締め付ける部材を緩めるという、いたずらを防止することができる。さらに、壁体の表側には、円形外周の鍔部（パッキンも含む）が突出するだけであるので、足を掛け難い構造とすることができる。
【図面の簡単な説明】
【００１６】
【図１】本発明のケーブルグランドの一例を示す縦断面図である。
【図２】本発明のケーブルグランドの一例を示す水平断面図である。
【図３】図１及び図２のケーブルグランドの分解斜視図である。
【図４】図４（Ａ）は図１〜図３のケーブルグランドに用いるワッシャの正面図、図４（Ｂ）はそのワッシャの縦断面図である。
【発明を実施するための形態】
【００１７】
以下、本発明の実施形態を図面に基づいて説明する。
【００１８】
図１及び図２はそれぞれ本発明のケーブルグランド１の一例を示す縦断面図及び水平断面図であり、図３はそのケーブルグランド１の分解斜視図である。図４（Ａ）はケーブルグランドに用いるワッシャ７の正面図、図４（Ｂ）はそのワッシャ７の縦断面図である。
【００１９】
本実施形態のケーブルグランド１は、壁体１００（例えば、電気機器の筐体の壁体や建物の壁体など）のケーブルＣを貫通する部分に取り付けられる。ケーブルグランド１は、グランド本体２、スリーブ３、プラグ４、パッキン５、ロックナット６、及びワッシャ７などを備えている。
【００２０】
グランド本体２は、筒状の部材（例えば樹脂製）であって、円形外周を有する薄肉円板形状（円環状）の鍔部２１と円筒部２２とからなり、その円筒部２２の一端（図１及び図２のＸ１方向の端部）に鍔部２１が一体形成されている。グランド本体２にはケーブルＣを通す挿通孔（貫通孔）２３が軸方向に沿って形成されている。挿通孔２３には、後述するスリーブ３が円筒部２２の他端側（図１及び図２のＸ２方向の端部側）から嵌め込まれる。
【００２１】
グランド本体２の円筒部２２の外周面には、当該円筒部２２の他端（図１及び図２のＸ２方向の端部）から一端側（鍔部２１側：図１及び図２のＸ１方向）に向けて進む雄ねじ２２ａが形成されている。グランド本体２の挿通孔２３には、円筒部２２の他端から一端側に向けて進む雌ねじ２３ａが形成されている。また、挿通孔２３には、スリーブ３の端部（小径側の端部）の位置を規制するための円すいテーパ面２３ｂが形成されている。
【００２２】
さらに、グランド本体２の円筒部２２の外周面には、軸方向に沿って延びる１条の回止め溝２２ｂが形成されている。この回止め溝２２ｂの深さは、雄ねじ２２ａのねじ山の高さよりも大きい。また、回止め溝２２ｂの幅は、後述するワッシャ７の第１舌片７１が嵌り込むことが可能な大きさとなっている。
【００２３】
スリーブ３は、外周面に円すいテーパ面３ａが形成された筒体（例えばゴム製）であって、ケーブルＣを通す挿通孔（貫通孔）３１が軸方向に沿って形成されている。スリーブ３の軸方向の長さは、スリーブ３がグランド本体２の挿通孔２３に嵌まり込んだ状態（スリーブ３の小径側の端部が円すいテーパ面２３ｂに当たった状態）で、スリーブ３の大径側端部がグランド本体２の他端（円筒部２２の他端）よりも内側に位置する長さとなっている。
【００２４】
プラグ４は、ケーブルＣを通す挿通孔（貫通孔）４１を有する筒状の部材（例えば樹脂製）であって、外周面が略六角形状に形成されており、スパナ等の工具を掛けることができる。プラグ４の一端部の外周面には、グランド本体２の挿通孔２３の雌ねじ２３ａに噛み合うことが可能な雄ねじ４ａが形成されている。
【００２５】
パッキン５は、円形孔５ａを有する円環状の部材（例えばゴム製）であって、グランド本体２の鍔部２１と壁体１００との間に挟み込まれる（図１及び図２参照）。パッキン５の内径（円形孔５ａの直径）は、グランド本体２の円筒部２２の雄ねじ２２ａの外径と略等しい。
【００２６】
ロックナット６は、グランド本体２を壁体１００に固定するためのナット（例えば樹脂製）であって、外周面が略六角形状に形成されており、スパナ等の工具を掛けることができる。グランド本体２の円筒部２２の雄ねじ２２ａに噛み合う雌ねじ６ａが形成されている。
【００２７】
ワッシャ７は、円形孔７ａを有する円環状の部材（例えば板金製）であって、グランド本体２の回止めに用いられる。ワッシャ７の内径（円形孔７ａの直径）はグランド本体２の円筒部２２の雄ねじ２２ａの外径よりも所定量だけ大きい。ワッシャ７の円形孔７ａの周縁には、第１舌片７１と、２つの第２舌片７２，７２とが設けられている。
【００２８】
これら２つの第２舌片７２，７２は、円形孔７ａの中心に対して１８０°回転対称となる位置（円形孔７ａの中心を通る直線上となる位置）に配置されている。また、２つの第２舌片７２，７２は、第１舌片７１に対し、それぞれ、９０°回転した位置に配置されている。つまり、２つの第２舌片７２，７２は、第１舌片７１の中心を通る直線（円形孔７ａの中心を通る直線）と直交する直線（円形孔７ａの中心を通る直線）上に配置されている。
【００２９】
第１舌片７１及び２つの第２舌片７２，７２はワッシャ７から一方向に突出している。第１舌片７１は、円形孔７ａの周縁に沿う円周よりも径方向の内側に位置しており（図４参照）、図１に示す取付状態で、グランド本体２の円筒部２３の回止め溝２２ｂに嵌り込むことが可能である。２つの第２舌片７２，７２は、円形孔７ａの周縁に沿う円周上に相当する位置に配置されており（図４参照）、図２に示す取付状態で、後述する壁体１００に形成された切欠き１０２，１０２にそれぞれ嵌り込むことが可能である。
【００３０】
そして、ケーブルグランド１を取り付ける壁体１００には、図１〜図３に示すように、円形の取付孔１０１が形成されている。取付孔１０１の直径は、グランド本体２の円筒部２２の雄ねじ２２ａの外径よりも所定量だけ大きい（例えば、取付孔１０１の直径とワッシャ７の円形孔７ａの直径とは略等しい）。
【００３１】
取付孔１０１の周縁には２つの切欠き１０２，１０２が形成されている。これら２つの切欠き１０２，１０２は、取付孔１０１の中心を通る水平線上に位置しており、取付孔１０１の中心に対して１８０°回転対称となる位置（ワッシャ７の２つの第２舌片７２，７２に対応する位置）に配置されている。
【００３２】
次に、以上の構造のケーブルグランド１の取付手順について説明する。
【００３３】
（Ｓ１）まず、スリーブ３及びプラグ４をグランド本体２から分解しておく。
【００３４】
（Ｓ２）グランド本体２の円筒部２２にパッキン５を嵌め込み、その円筒部２２を壁体１００の取付孔１０１に壁体１００の外部側から差し込む。この差し込み時において円筒部２２の回止め溝２２ｂを真上に向けた状態としておく。また、グランド本体２の鍔部２１と壁体１００との間にパッキン５を挟んだ状態としておく。
【００３５】
（Ｓ３）壁体１００の取付孔１０１に差し込んだグランド本体２の円筒部２２（壁体１００の裏側に突出している部分）に、ワッシャ７を、その第１舌片７１及び第２舌片７２，７２を壁体１００側（図１及び図２のＸ２方向）に向けた状態で壁体１００の裏側（内側）から嵌め込む。このとき、ワッシャ７の第１舌片７１を円筒部２２の回止め溝２２ｂに嵌め込むとともに、２つの第２舌片７２，７２をそれぞれ取付孔１０１の切欠き１０２，１０２に嵌め込む。
【００３６】
この状態で、グランド本体２の円筒部２２の雄ねじ２２ａ（壁体１００の裏側に突出している部分の雄ねじ２２ａ）に、ロックナット６を壁体１００の裏側からねじ込むことによって、グランド本体２を壁体１００に取り付ける（固定する）。この取付状態では、壁体１００とロックナット６との間にワッシャ７が挟み込まれ、そのワッシャ７の第１舌片７１がグランド本体２の回止め溝２２ｂに嵌り込むとともに、２つの第２舌片７２，７２がそれぞれ壁体１００の切欠き１０２，１０２に嵌り込んだ状態となる。これにより、グランド本体２の壁体１００に対する回転が規制される。
【００３７】
（Ｓ４）以上のグランド本体２の壁体１００への取付が完了した後、スリーブ３及びプラグ４にケーブルＣを通した状態で、グランド本体２の挿通孔２３にスリーブ３を壁体１００の裏側（円筒部２２の他端側）から嵌め込み、次いで、壁体１００の裏側からの作業により、プラグ４の雄ねじ４ａをグランド本体２の挿通孔２３の雌ねじ２３ａに合わせてプラグ４をグランド本体２にねじ込んでゆく。このプラグ４のねじ込み過程において、スリーブ３の端部（大径側の端部）が、プラグ４の端部によって押圧されてスリーブ３が縮径方向に変形する。そして、プラグ４のねじ込み（締め付け）が完了した状態で、スリーブ３の挿通孔３１の内周面とケーブルＣの外周面とが密着する。これによって、壁体１００の内側（筐体内や室内側等）に水、油、塵、埃などが侵入する塵や埃などが侵入するのを防止することができるとともに、ケーブル自体をしっかりと保持・固定することができる。
【００３８】
＜効果＞
本実施形態のケーブルグランド１によれば、図１及び図２に示すように、ケーブルグランド１のねじ要素であるロックナット６及びプラグ４を壁体１００の裏側（筐体内や室内側等）に配置することができ、壁体１００の表側に露出する部材は、回転操作を行い難い円形外周を有する鍔部２１及びパッキン５のみとすることができる。これにより、スリーブ３を締め付けるプラグ４やグランド本体２を緩めるという、いたずらを防止することができる。このように、いたずらによりグランド本体２等が緩むことがなくなることにより、パッキン５の面圧（グランド本体２の鍔部２１がパッキン５を押圧する面圧）が減少することにより生じる漏水等のおそれがなくなり、ケーブルグランド１の気密・液密性を確保することが可能になる。
【００３９】
しかも、壁体１００の表側に露出する円形外周の鍔部２１は壁体１００の表側への突出量を少なくすることが可能である。これにより、鍔部２１に足を掛け難くなるので、体重が掛けられることによるケーブルグランド１の破損を防止することができる。
【００４０】
また、本実施形態のケーブルグランド１にあっては、グランド本体２の円筒部２２に嵌め込まれ、壁体１００とロックナット６との間に配置されるワッシャ７を備え、そのワッシャ７に第１舌片７１と第２舌片７２，７２とを設けている。そして、グランド本体２を壁体１００に取り付けた状態で、ワッシャ７の第１舌片７１がグランド本体２の回止め溝２２ｂに嵌り込むとともに、ワッシャ７の第２舌片７２，７２がそれぞれ壁体１００の切欠き１０２，１０２に嵌り込む構造としているので、グランド本体２が回転しようとしても、第１舌片７１が回止め溝２２ｂに係止し、第２舌片７２，７２が切欠き１０２，１０２に係止することにより、グランド本体２の回転が規制される。
【００４１】
これにより、グランド本体２を壁体１００に取り付けた後、グランド本体２の円筒部２２にプラグ４をねじ込む際（スリーブ３を締め付ける際）に、グランド本体２が回転することはない。
【００４２】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００４３】
例えば、以上の実施形態では、ワッシャ７の第１舌片７１の数を１つとし、第２舌片７２の数を２つとしている。これに合わせて、グランド本体２の回止め溝２２ｂの数を１つとし、壁体１００の取付孔１０１の切欠き１０２の数を２つとしているが、本発明がこれに限られることなく、ワッシャ７の第１舌片の数を複数としてもよいし、第２舌片の数を１つまたは３つ以上としてもよい。この場合、それら第１舌片及び第２舌片の各数に合わせてグランド本体２に形成する回止め溝の数及び取付孔１０１に形成する切欠きの数及び位置を決定すればよい。
【産業上の利用可能性】
【００４４】
本発明は、電気機器や建物などの壁体にケーブルを保持する際に使用されるケーブルグランドに有効に利用することができる。
【符号の説明】
【００４５】
１  ケーブルグランド
２  グランド本体
２１  鍔部
２２  円筒部
２２ａ  雄ねじ
２２ｂ  回止め溝
２３  挿通孔
２３ａ  雌ねじ
２３ｂ  円すいテーパ面
３  スリーブ
３ａ  円すいテーパ面
３１  挿通孔
４  プラグ
４ａ  雄ねじ
４１  挿通孔
５  パッキン
５ａ  円形孔
６  ロックナット
６ａ  雌ねじ
７  ワッシャ
７ａ  円形孔
７１  第１舌片
７２  第２舌片
１００  壁体
１０１  取付孔
１０２  切欠き
【図１】
2018007340.tif 000003
【図２】
2018007340.tif 000004
【図３】
2018007340.tif 000005
【図４】
2018007340.tif 000006